(57)【要約】【課題】特定の文書から他の文書へ手書きによって情報を転記した場合に、転記先の情報を電子化し、転記元の文書への対応付けを可能とする。【解決手段】端末装置５０は、デジタルペン６０を用いて項目および当該項目の記載内容が文書サーバに管理された第１文書に対して項目を指定する操作が行われた場合に、指定された項目の記載内容を当該文書サーバから取得する。また、デジタルペン６０を用いて第２文書に手書きされた手書き文字の軌跡に基づいて、この手書き文字の内容を取得する。そして、第１文書の項目が指定された後に第２取得手段により取得された手書き文字の内容を、指定された項目に関する第２文書における記載内容として管理する。【選択図】図１
2010231662.tif 000002
【特許請求の範囲】
【請求項１】
項目および当該項目の記載内容が文書サーバに管理された第１文書に対して項目を指定する操作が行われた場合に、指定された項目の記載内容を当該文書サーバから取得する第１取得手段と、
第２文書に手書きされた手書き文字の軌跡に基づいて、当該手書き文字の内容を取得する第２取得手段と、
前記第１文書の項目が指定された後に前記第２取得手段により取得された前記手書き文字の内容を、指定された当該項目の前記第２文書における記載内容として管理する管理手段
を備えることを特徴とする、情報処理システム。
【請求項２】
前記第１取得手段により取得された前記第１文書の前記指定された項目の記載内容と、前記管理手段により管理されている当該項目の前記第２文書における記載内容とを対応付けて表示装置に表示させる出力手段をさらに備えることを特徴とする、請求項１に記載の情報処理システム。
【請求項３】
前記第１文書が記載された媒体には、当該媒体上の位置情報を表すパターン画像が印刷され、
前記第１取得手段は、
前記パターン画像を読み取る読み取り手段と、
前記読み取り手段により読み取られたパターン画像を解析して前記位置情報を取得する位置情報取得手段と、
前記位置情報取得手段により取得された位置情報に基づいて前記指定された項目を識別する識別手段と、
を備えることを特徴とする、請求項１または請求項２に記載の情報処理システム。
【請求項４】
前記管理手段は、
前記第１取得手段により、前記第１文書の特定の場所に印刷されたパターン画像が読み取られた後、さらに他の特定の場所に印刷されたパターン画像が読み取られるまでの間に、前記第２取得手段により取得された手書き文字の内容を、当該パターン画像に基づいて識別された項目に関連づけることを特徴とする、請求項３に記載の情報処理システム。
【請求項５】
前記第２取得手段は、筆記具の物理的な移動方向および移動量に基づいて、前記手書き文字の軌跡を求めることを特徴とする、請求項１乃至請求項４のいずれかに記載の情報処理システム。
【請求項６】
前記第２取得手段は、
筆記具と、
前記筆記具に設けられた加速度センサと、
前記加速度センサによって得られた加速度の情報に基づいて前記筆記具の移動に基づく前記手書き文字の軌跡を計算する計算手段と、
を備えることを特徴とする、請求項１乃至請求項４のいずれかに記載の情報処理システム。
【請求項７】
前記第１取得手段の前記読み取り手段が、前記第２取得手段の前記筆記具であることを特徴とする、請求項６に記載の情報処理システム。
【請求項８】
前記第２取得手段は、
前記第２文書が記載される媒体を撮影する撮像手段と、
前記撮影手段により撮影された前記第２文書の手書き文字の画像から当該手書き文字の軌跡を抽出する抽出手段と、
を備えることを特徴とする、請求項１乃至請求項４のいずれかに記載の情報処理システム。
【請求項９】
コンピュータに、
項目および当該項目の記載内容が文書サーバに管理された第１文書に対して項目を指定する操作を受け付けて、指定された項目の記載内容を当該文書サーバから取得する機能と、
第２文書に手書きされた手書き文字の軌跡に基づいて、当該手書き文字の内容を取得する機能と、
前記第１文書の項目が指定された後に前記手書き文字の内容を取得する機能により取得された前記手書き文字の内容を、指定された当該項目の前記第２文書における記載内容として管理する機能と、
を実現させるプログラム。
【発明の詳細な説明】
【技術分野】
【０００１】
本発明は、情報処理システムおよびプログラムに関する。
【背景技術】
【０００２】
ペン型デバイスを用いて手書きされた文字を認識し、電子化された文字データを取得する技術がある（例えば、特許文献１、２参照）。
【０００３】
特許文献１に記載された技術は、紙面に対し、紙面上の位置に固有な符号パターンを印刷し、符号パターンの読み取り手段を備えた電子ペンで紙面に筆記すると、電子ペンがペン先の位置にある符号パターンを読み取って復号し、筆記位置を判別する。そして、判別された複数の筆記位置から筆記情報を生成する。
【０００４】
特許文献２に記載された技術は、加速度センサを筆記具に付加し、筆跡加速度軌道を復元認識して得た筆跡情報信号をコンピュータに送信することにより、コンピュータに文字や図形を入力する。
【先行技術文献】
【特許文献】
【０００５】
【特許文献１】特開２００７−２８８２８５号公報
【特許文献２】特開平８−１６３０１号公報
【発明の概要】
【発明が解決しようとする課題】
【０００６】
本発明は、特定の文書から他の文書へ手書きによって情報を転記した場合に、転記先の情報を電子化し、転記元の文書への対応付けを可能とすることを目的とする。
【課題を解決するための手段】
【０００７】
請求項１に記載の発明は、項目および当該項目の記載内容が文書サーバに管理された第１文書に対して項目を指定する操作が行われた場合に、指定された項目の記載内容を当該文書サーバから取得する第１取得手段と、第２文書に手書きされた手書き文字の軌跡に基づいて、当該手書き文字の内容を取得する第２取得手段と、前記第１文書の項目が指定された後に前記第２取得手段により取得された前記手書き文字の内容を、指定された当該項目の前記第２文書における記載内容として管理する管理手段を備えることを特徴とする、情報処理システムである。
請求項２に記載の発明は、前記第１取得手段により取得された前記第１文書の前記指定された項目の記載内容と、前記管理手段により管理されている当該項目の前記第２文書における記載内容とを対応付けて表示装置に表示させる出力手段をさらに備えることを特徴とする、請求項１に記載の情報処理システムである。
請求項３に記載の発明は、前記第１文書が記載された媒体には、当該媒体上の位置情報を表すパターン画像が印刷され、前記第１取得手段は、前記パターン画像を読み取る読み取り手段と、前記読み取り手段により読み取られたパターン画像を解析して前記位置情報を取得する位置情報取得手段と、前記位置情報取得手段により取得された位置情報に基づいて前記指定された項目を識別する識別手段と、を備えることを特徴とする、請求項１または請求項２に記載の情報処理システムである。
請求項４に記載の発明は、前記管理手段は、前記第１取得手段により、前記第１文書の特定の場所に印刷されたパターン画像が読み取られた後、さらに他の特定の場所に印刷されたパターン画像が読み取られるまでの間に、前記第２取得手段により取得された手書き文字の内容を、当該パターン画像に基づいて識別された項目に関連づけることを特徴とする、請求項３に記載の情報処理システムである。
請求項５に記載の発明は、前記第２取得手段は、筆記具の物理的な移動方向および移動量に基づいて、前記手書き文字の軌跡を求めることを特徴とする、請求項１乃至請求項４のいずれかに記載の情報処理システムである。
請求項６に記載の発明は、前記第２取得手段は、筆記具と、前記筆記具に設けられた加速度センサと、前記加速度センサによって得られた加速度の情報に基づいて前記筆記具の移動に基づく前記手書き文字の軌跡を計算する計算手段と、を備えることを特徴とする、請求項１乃至請求項４のいずれかに記載の情報処理システムである。
請求項７に記載の発明は、前記第１取得手段の前記読み取り手段が、前記第２取得手段の前記筆記具であることを特徴とする、請求項６に記載の情報処理システムである。
請求項８に記載の発明は、前記第２取得手段は、前記第２文書が記載される媒体を撮影する撮像手段と、前記撮影手段により撮影された前記第２文書の手書き文字の画像から当該手書き文字の軌跡を抽出する抽出手段と、を備えることを特徴とする、請求項１乃至請求項４のいずれかに記載の情報処理システムである。
請求項９に記載の発明は、コンピュータに、項目および当該項目の記載内容が文書サーバに管理された第１文書に対して項目を指定する操作を受け付けて、指定された項目の記載内容を当該文書サーバから取得する機能と、第２文書に手書きされた手書き文字の軌跡に基づいて、当該手書き文字の内容を取得する機能と、前記第１文書の項目が指定された後に前記手書き文字の内容を取得する機能により取得された前記手書き文字の内容を、指定された当該項目の前記第２文書における記載内容として管理する機能と、を実現させるプログラムである。
【発明の効果】
【０００８】
請求項１の発明によれば、内容が管理されている文書の記載項目とその文書から転記された他の文書の記載内容とを関連付けて管理することができる。
請求項２の発明によれば、記載内容が関連付けられた転記元文書と転記先文書の記載の照合作業の負担を軽減することができる。
請求項３の発明によれば、転記元の文書において記載を転記しようとする項目を正確に特定することができる。
請求項４の発明によれば、転記元文書の記載項目に関連付けるべき転記先文書の記載を正確に特定することができる。
請求項５の発明によれば、転記先文書の用紙の種類に関わらず、手書き文字の内容を取得することができる。
請求項６の発明によれば、加速度の情報に基づいて筆記具の物理的な移動を検知することにより、転記先文書の用紙の種類に関わらず、手書き文字の内容を取得することができる。
請求項７の発明によれば、本発明の構成を適用しない場合と比べて、筆記具を持ち替えることなく、転記作業を行うことができる。
請求項８の発明によれば、転記先文書の用紙の種類に関わらず、手書き文字の内容を取得することができる。
請求項９の発明によれば、このプログラムを用いたシステムにおいて、内容が管理されている文書の記載項目とその文書から転記された他の文書の記載内容とを関連付けて管理することができる。
【図面の簡単な説明】
【０００９】
【図１】本実施形態のコンピュータシステムの構成例を示す図である。
【図２】本実施形態の文書サーバの機能構成例を示した図である。
【図３】本実施形態で用いられる符号画像を構成する画像等の一例を示した図である。
【図４】本実施形態の識別情報サーバの機能構成例を示した図である。
【図５】画像形成装置のハードウェア構成例を示した図である。
【図６】本実施形態のデジタルペンの構成例を示した図である。
【図７】本実施形態の制御回路の機能構成例を示した図である。
【図８】本実施形態の軌道検出部の構成例を示す図である。
【図９】本実施形態で用いられる帳票の構成例を示す図である。
【図１０】印刷帳票の出力処理における文書サーバおよび識別情報サーバの動作を示したシーケンス図である。
【図１１】本実施形態において印刷帳票の記載を手書き帳票に転記する場合の操作手順を示すフローチャートである。
【図１２】本実施形態のコンピュータシステムにおける他の構成例を示す図である。
【図１３】図１２に示した構成のシステムにおいて印刷帳票の記載を手書き帳票に転記する場合の操作手順を示すフローチャートである。
【図１４】本実施形態のコンピュータシステムにおけるさらに他の構成例を示す図である。
【図１５】本実施形態のシステムの各装置を実現するコンピュータのハードウェア構成例を示した図である。
【発明を実施するための形態】
【００１０】
以下、添付図面を参照して、本発明の実施形態について詳細に説明する。
基幹業務において帳票を作成する場合に、印刷された帳票（以下、「印刷帳票」という）に記載された事項を、手書き用の帳票（以下、「手書き帳票」という）に書き写さなければならない場合がある。例えば、基幹システムから帳票は出力されるものの、顧客との取引においては、顧客が独自に指定した帳票を用いなければならない場合等である。このような場合、印刷帳票における記載事項が手書き帳票に正しく転記されていることが必要である。
【００１１】
本実施形態は、手書き帳票の手書き文字の筆記情報を取得して、印刷帳票に印刷された事項と手書き帳票に手書きされた事項とを対応付ける。そして、得られた対応情報に基づいて、印刷帳票から手書き帳票へ正しく転記されているか否かのチェック作業を支援する。なお、以下では、印刷帳票の内容を手書き帳票に書き写す場合を例として説明するが、他の種々の文書において内容を書き写す場合に、本実施形態を適用して良い。
【００１２】
＜システム構成＞
まず、本実施形態におけるコンピュータシステムの全体構成について説明する。
図１は、本実施形態のコンピュータシステムの構成例を示す図である。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続されている。
【００１３】
端末装置１０は、文書サーバ２０に対して電子文書の印刷を要求するコンピュータ装置である。ここで、端末装置１０としては、例えば、パーソナルコンピュータやワークステーション、その他のコンピュータを用いると良い。
【００１４】
文書サーバ２０は、電子文書を記憶し管理するコンピュータ装置である。本実施形態では、印刷帳票の電子データが文書サーバ２０によって管理される。また、端末装置１０から電子文書の印刷要求があると、電子文書の画像と、識別情報および位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いると良い。
【００１５】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いると良い。
【００１６】
画像形成装置４０は、媒体に画像を印刷し、印刷文書として出力する装置である。この画像形成装置４０は、単体のプリンタや印刷機であっても良いし、他にスキャナや通信の機能を備えた複合機であっても良い。ここで、画像形成装置４０における画像形成方式としては、例えば、電子写真方式を用いると良いが、その他の方式を用いても良い。なお、以下では、媒体に付与する識別情報を識別情報サーバ３０が発行するものとして説明するが、システム内で重複なく発行できるのであれば識別情報はどの装置で発行しても良く、この画像形成装置４０で発行するようにしても良い。その場合は、例えば、画像形成装置４０の機械番号と画像形成装置４０におけるプリントカウントの値とを結合したものを識別情報として用いると良い。
【００１７】
端末装置５０は、印刷文書に対する筆記を電子化した情報（以下、「筆跡情報」という）を、印刷文書に記録された画像の元となる電子文書に反映させるために識別情報サーバ３０に送信するコンピュータ装置である。また、筆跡情報を反映する対象の電子文書を図示しないディスプレイに表示し、その上に筆跡情報を重ねて表示するようにしても良い。ここで、端末装置５０としては、例えば、パーソナルコンピュータやワークステーション、その他のコンピュータを用いると良い。なお、本実施形態では、筆記の内容を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であっても良い。
【００１８】
デジタルペン６０は、電子筆記具の一例であり、媒体上に文字または図形を筆記するために用いられるペンデバイスである。また、デジタルペン６０は、媒体上に筆記した文字や図形をイメージデータ化した筆跡情報を取得し記憶する。本実施形態のデジタルペン６０は、筆跡情報の取得手段として、２種類の異なる方式による手段を備える。１つは、媒体に印刷された符号画像を読み取る方式（第１取得手段）であり、他の一つは、筆記が行われる際のデジタルペン６０を動かす動作自体から筆跡情報を読み取る方式（第２取得手段）である。
【００１９】
通信装置７０は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにすると良い。ここで、端末装置５０との間の通信の方式としては、ＵＳＢ（Universal Serial Bus）、Ｂｌｕｅｔｏｏｔｈ（登録商標）、赤外線通信機能等、種々の方式が考えられる。また、図では、通信装置７０をデジタルペン６０と別体のものとして示しているが、必ずしも別体である必要はなく、一体に構成しても良い。
【００２０】
なお、本明細書では、媒体に記録する画像の元となる電子データを「電子文書」と表記するが、これは、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
さらに、本明細書では、電子文書、媒体、さらにはデジタルペン６０やユーザについて、それぞれを一意に識別するための識別情報を用いて処理を行うが、単に「識別情報」というときは、このうち、媒体の識別情報を意味するものとする。
【００２１】
＜文書サーバ２０の機能構成＞
図２は、文書サーバ２０の機能構成例を示したブロック図である。
図示するように、文書サーバ２０は、受信部２１と、識別情報取得部２２とを備える。また、識別符号生成部２５ａと、位置符号生成部２５ｂと、符号配置部２５ｃと、パターン画像記憶部２５ｄと、符号画像生成部２５ｅとを備える。さらに、文書画像生成部２６と、画像合成部２７と、文書記憶部２８ａと、文書内容項目管理部２８ｂと、送信部２９とを備える。
【００２２】
受信部２１は、端末装置１０から印刷要求を受信する。ここで、印刷要求には、印刷対象となる電子文書（印刷帳票の電子データ）と電子文書の識別情報（以下、「文書ＩＤ」という）と、印刷に関する各種設定（以下、「印刷設定」という）とが含まれる。また、受信部２１は、端末装置５０から文書ＩＤおよび位置情報を受信する。
【００２３】
識別情報取得部２２は、受信部２１から文書ＩＤおよび印刷設定を取得し、これを送信部２９に渡して識別情報の発行要求の送信を指示し、これを文書画像生成部２６に渡して文書画像の生成を指示する。また、受信部２１から識別情報を取得し、これを識別符号生成部２５ａに渡して識別符号の生成を指示する。
【００２４】
識別符号生成部２５ａは、媒体を特定する識別情報を符号化して識別符号を生成する。位置符号生成部２５ｂは、媒体上の座標位置を示す位置情報を符号化して位置符号を生成する。符号配置部２５ｃは、識別符号生成部２５ａにて生成された識別符号や、位置符号生成部２５ｂにて生成された位置符号等を、予め定められたレイアウトにしたがって２次元平面に配置し、２次元の符号配列を生成する。パターン画像記憶部２５ｄは、符号配列に格納される各符号の符号値に対応するパターン画像を記憶する。符号画像生成部２５ｅは、符号配置部２５ｃが生成した２次元の符号配列を参照し、各符号値に対応したパターン画像を選択して符号画像を生成する。
【００２５】
文書画像生成部２６は、識別情報取得部２２から文書ＩＤおよび印刷設定を取得し、この文書ＩＤで特定される電子文書を図示しない記憶手段から読み出し、印刷設定にしたがってその電子文書の文書画像を生成する。
【００２６】
画像合成部２７は、符号画像生成部２５ｅが生成した符号画像と、文書画像生成部２６が生成した文書画像とを合成し、合成画像を生成する。
【００２７】
文書記憶部２８ａは、受信部２１から電子文書の電子データ、文書ＩＤ、印刷設定を取得し、これらを関連付けて記憶する。
【００２８】
文書内容項目管理部２８ｂは、受信部２１から文書ＩＤおよび位置情報を取得し、これらの情報と文書記憶部２８ａに記憶されている文書ＩＤに対応する電子データおよび印刷設定に基づいて、指定された文書の指定された位置に記載されている項目名（例えば、請求金額など）と値（例えば、１万円など）を取得する。
【００２９】
送信部２９は、識別情報サーバ３０に対して識別情報の発行要求を送信する。また、画像形成装置４０に対して媒体に対する画像の印刷命令を送信する。また、端末装置５０に対して指定された文書の指定された位置に記載されている項目名および値を送信する。
【００３０】
＜符号画像の構成例＞
次に、本実施の形態で生成される符号画像について説明する。
図３は、符号画像を構成する画像等の一例を示した図である。
まず、符号画像を構成する単位パターンについて説明する。
図３（ａ）は、単位パターンの一例を示す図である。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。すなわち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号および位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号および位置符号を表現する情報パターンとして使用され、５ビットの情報が表現される。
【００３１】
ところで、図３（ａ）に示したドットは、あくまで情報表現のためのドットであり、画像を構成する最小の点を意味するドットとは必ずしも一致しない。本実施の形態において、情報表現のためのドット（図３（ａ）の最小の四角）は、６００ｄｐｉにおける２ドット×２ドットの大きさを有している。６００ｄｐｉにおける１ドットの大きさは０．０４２３ｍｍなので、情報表現のためのドット（図３（ａ）の最小の四角）の一辺は、８４．６μｍ（＝０．０４２３ｍｍ×２）である。情報表現のためのドットは、大きくなればなるほど目に付きやすくなるため、小さいほうが好ましい。ところが、あまり小さくすると、プリンタで印刷できなくなってしまう。そこで、情報表現のためのドットの大きさとして、５０μｍより大きく１００μｍより小さい上記の値を採用している。ただし、上記の値８４．６μｍは、あくまで計算上の数値であり、実際に印刷されたトナー像では１００μｍ程度になる。なお、本明細書で「ドット」というときは、特に明示しない限り、画像を構成する最小の点を意味するドットではなく、情報表現のためのドットを指すものとする。
【００３２】
次に、このような単位パターンから構成される符号ブロックについて説明する。
図３（ｂ）に、符号ブロックのレイアウトの一例を示す。なお、ここでは、画像ではなく、パターン画像によって置き換えられる直前の符号配列で示している。すなわち、図３（ｂ）の最小の四角（以下、「単位ブロック」という）に、図３（ａ）のような単位パターン（３６通りの単位パターンのいずれか）が配置され、その画像が媒体に形成されることになる。
【００３３】
図３（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。さらに、これらの位置符号が配置された単位ブロックに囲まれた１６（＝４×４）個の単位ブロックに識別符号が配置されている。
【００３４】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図３（ｂ）の符号ブロックにおける識別符号が配置される単位ブロックに収まることになる。なお、符号化方式はＲＳ符号に限定するものでなく、その他の符号化方式、例えば、ＢＣＨ符号等を使用しても良い。
【００３５】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
【００３６】
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。すなわち、固定のＭ系列を予め生成しておき、それをメモリ等に格納しておけば良い。例えば、系列長８１９１のＭ系列（Ｋ＝１３）を使用したとする。この場合、位置符号も５ビット単位で埋め込むため、系列長８１９１のＭ系列から５ビットずつ取り出してブロック化する。
【００３７】
なお、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００３８】
＜識別情報サーバ３０の機能構成＞
図４は、識別情報サーバ３０の機能構成例を示したブロック図である。
図示するように、識別情報サーバ３０は、受信部３１と、媒体管理部３２と、媒体管理情報記憶部３３とを備える。また、筆跡管理部３５と、筆跡管理情報記憶部３６と、送信部３９とを備える。
【００３９】
受信部３１は、文書サーバ２０から識別情報の発行要求を受信する。また、受信部３１は、印刷文書に対する筆記がなされた際には、識別情報、筆跡情報を端末装置５０から受信する。
【００４０】
媒体管理部３２は、識別情報の発行要求があると、識別情報を重複することなく発行し、その際に指定された文書ＩＤおよび印刷設定を識別情報に関連付けて記憶する。また、本実施の形態では、印刷帳票の識別情報に対し、その印刷帳票を印刷した画像形成装置４０のアドレスも関連付けて記憶する。
【００４１】
媒体管理情報記憶部３３は、識別情報と、その識別情報が付与された媒体に印刷された電子文書の文書ＩＤと、それが付与された媒体に電子文書が印刷された際の印刷設定と、それが付与された媒体に電子文書を印刷した画像形成装置４０のアドレスを記憶するデータベースである。
【００４２】
筆跡管理部３５は、受信部３１が受信した識別情報、筆跡情報を取得し、筆跡管理情報記憶部３６に登録する。本実施の形態では、筆記用媒体上の特定の筆記位置に対する筆記を電子化した筆記情報の一例として、設定情報で指定された部分の筆跡情報を用いており、筆記情報を取得する筆記情報取得手段の一例として、筆跡管理部３５を設けている。筆跡管理情報記憶部３６は、筆跡管理部３５によって管理される筆跡管理情報を記憶する。
【００４３】
送信部３９は、文書サーバ２０からの要求に応じて発行した識別情報を文書サーバ２０に送信する。
【００４４】
＜画像形成装置４０の構成＞
図５は、画像形成装置４０のハードウェア構成例を示した図である。
図示するように、画像形成装置４０は、ＣＰＵ（Central Processing Unit）４１と、ＲＡＭ（Random Access Memory）４２と、ＲＯＭ（Read Only Memory）４３と、ＨＤＤ（Hard Disk Drive）４４と、操作パネル４５と、画像読取部４６と、画像形成部４７と、通信インターフェースコントローラ（以下、「通信Ｉ／Ｆコントローラ」と表記する）４８とを備える。
【００４５】
ＣＰＵ４１は、ＲＯＭ４３等に記憶された各種プログラムをＲＡＭ４２にロードして実行することにより、各種の機能を実現する。ＲＡＭ４２は、ＣＰＵ４１の作業用メモリ等として用いられるメモリである。ＲＯＭ４３は、ＣＰＵ４１が実行する各種プログラム等を記憶するメモリである。ＨＤＤ４４は、画像読取部４６が読み取った画像データや画像形成部４７における画像形成にて用いる画像データ等を記憶する例えば磁気ディスク装置である。操作パネル４５は、各種情報の表示やユーザからの操作入力の受付を行う例えばタッチパネルである。通信Ｉ／Ｆコントローラ４８は、ネットワークを介して他の装置との間で各種情報の送受信を行う。
【００４６】
画像読取部４６は、紙等の記録媒体に記録された画像を読み取る。ここで、画像読取部４６は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを用いると良い。
【００４７】
画像形成部４７は、紙等の記録媒体に画像を形成する。ここで、画像形成部４７は、例えばプリンタであり、感光体に付着させたトナーを記録媒体に転写して像を形成する電子写真方式や、インクを記録媒体上に吐出して像を形成するインクジェット方式のものを用いると良い。
【００４８】
＜デジタルペン６０の構成＞
次に、デジタルペン６０の構成例について説明する。
図６は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報および位置情報を抽出するデータ処理部６１ｂとを含む。
【００４９】
また、制御回路６１には、デジタルペン６０による筆記動作をペンチップ６９に加わる圧力によって検出する圧力センサ６２が接続されている。さらに、第１取得手段の一例として、媒体上に赤外光を照射する赤外ＬＥＤ６３と、反射光を検知することによって符号画像を読み取る赤外ＣＭＯＳ６４も接続されている。さらにまた、識別情報および位置情報を記憶するための情報メモリ６５と、外部装置と通信するための通信回路６６と、ペンを駆動するためのバッテリ６７と、ペンの識別情報（ペンＩＤ）を記憶するペンＩＤメモリ６８も接続されている。また、制御回路６１には、第２取得手段の一例として、デジタルペン６０により筆記を行った際のデジタルペン６０に生じる加速度に基づいて筆跡の軌道を検出する軌道検出部９０が接続されている。
【００５０】
次に、制御回路６１の機能構成についてさらに詳細に説明する。
図７は、制御回路６１の機能構成例を示したブロック図である。同図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６と、通信制御部６１９とを備える。
【００５１】
画像取得部６１１は、赤外ＣＭＯＳ６４が印刷文書から読み取った符号画像を取得する。また、必要に応じて、符号画像に含まれるノイズを除去する。
【００５２】
ドット配列生成部６１２は、符号画像におけるドットの位置を参照して、ドット配列を生成する。すなわち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００５３】
符号配列生成部６１３は、ドット配列上で、符号ブロック内の単位パターンに対応するブロックを検出する。具体的には、単位パターンが配置されるブロックと同じ形状および大きさの枠をドット配列上で動かし、枠内のドット数が均等になる位置で枠を固定する。例えば、図３（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００５４】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
【００５５】
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。なお、オフセットで補正するのは、位置符号の間に同期符号が配置されているためである。
【００５６】
筆跡情報生成部６１６は、位置情報取得部６１５が取得した位置情報を連結して筆跡情報を生成する。ここで、筆跡情報には、少なくともデジタルペン６０のペン先の軌跡を電子化したデータが含まれるが、これ以外の情報を含んでいても良い。ペン先の軌跡以外の情報としては、例えば、筆記した時にペンに設定されていた色の情報や、筆圧の情報等がある。
【００５７】
通信制御部６１９は、識別情報取得部６１４が取得した識別情報と、筆跡情報生成部６１６が生成した筆跡情報とを通信回路６６に受け渡すことで、通信装置７０への情報送信を実現する。
【００５８】
図８は、軌道検出部９０の構成例を示す図である。
図示するように、軌道検出部９０は、三次元立体座標（ＸＹＺ座標）の互いに直交する各座標軸（Ｘ軸、Ｙ軸、Ｚ軸）に沿った加速度を検出するＸ軸加速度センサ９１、Ｙ軸加速度センサ９２、Ｚ軸加速度センサ９３を備える。また、これら加速度センサ９１、９２、９３の加速度信号を処理する増幅部９４および信号２重積分部９５を備える。
【００５９】
三次元立体座標の座標軸の１つ、例えばＺ軸は、デジタルペン６０のペン軸方向に沿うように設定される。これにより、デジタルペン６０を用いて筆記操作が行われると、その動きがＸ軸加速度センサ９１およびＹ軸加速度センサ９２により各軸方向の加速度として検出される。Ｘ軸加速度センサ９１およびＹ軸加速度センサ９２から出力される加速度信号Ｓｘ、Ｓｙは、増幅部９４で増幅された後、信号２重積分部９５へ送られる。信号２重積分部９５は、増幅部９４により増幅された加速度信号による加速度軌道を２重積分演算処理して筆跡の軌道を復元する。
【００６０】
Ｚ軸加速度センサ９３は、デジタルペン６０を媒体に対して近づけたり遠ざけたりする動作によって生じるペン軸方向の加速度を検出する。これにより、デジタルペン６０を媒体に接触させたり、媒体から離したりする動作が識別される。なお、この動作の識別は、Ｚ軸加速度センサ９３の加速度信号の代わりに、圧力センサ６２の検出信号を用いて行っても良い。
【００６１】
以上のようにして得られた筆跡の軌道情報は、制御回路６１へ送られ、通信制御部６１９を介して通信装置７０へ送信される。以上の軌道検出部９０による加速度を用いて軌道情報を取得する処理は、符号画像が存在しない等の理由により制御回路６１が符号画像から筆跡情報を得られない場合に行うようにしても良い。また、符号画像に基づく筆跡情報の取得処理と並行して、加速度による軌道情報の取得処理を行い、筆跡情報の取得に失敗したときに、信号２重積分部９５から得られた軌道情報を送信するようにしても良い。さらに、デジタルペン６０に、符号画像に基づく筆跡情報の取得と、加速度による軌道情報の取得を切り替えて行うためのスイッチを設けておき、ユーザが選択的に処理を実行させるようにしても良い。
【００６２】
＜帳票の構成＞
次に、本実施形態で用いられる印刷帳票および手書き帳票の構成を説明する。
図９（ａ）は印刷帳票の構成例を示す図、図９（ｂ）は手書き帳票の構成例を示す図である。
図９（ａ）に示す構成例では、印刷帳票９１０は、「顧客請求情報シート」と題され、「お客様名」、「住所」、「請求金額」、「製品型番」の４項目が記載される。また、各項目にチェックボックス９１１が形成されている。図９（ｂ）に示す構成例では、手書き帳票９２０は、「請求書」と題され、「請求先」、「購入品」、「請求額」の３項目の記載欄が設けられている。
【００６３】
図示の印刷帳票９１０および手書き帳票９２０の各項目において、「お客様名」と「請求先」、「請求金額」と「請求額」、「製品型番」と「購入品」が、各々対応しているものとする。印刷帳票９１０における「住所」に対応する項目は、手書き帳票９２０には存在しない。ただし、手書き帳票９２０の「請求先」に、「お客様名」の内容と共に「住所」の内容を記載する態様としても良い。
【００６４】
本実施形態では、印刷帳票９１０は、文書サーバ２０に管理されている印刷帳票９１０の電子データを用いて、図１に示したシステムによって出力される。したがって、印刷帳票９１０に関して、上記各項目の記載内容、各項目の記載欄やチェックボックス９１１の文書画像における位置等の情報は、文書サーバ２０において管理されている。また、印刷帳票９１０には、図３に例示したような符号画像が印刷されている。そのため、デジタルペン６０で印刷帳票９１０に印刷された符号画像を読み取り、得られた位置情報を文書サーバ２０に問い合わせることにより、印刷帳票９１０における各項目の記載欄やチェックボックス９１１が個別に識別される。なお、符号画像は、印刷帳票９１０の全体にわたって印刷されていても良いし、位置情報等を取得する必要のある各項目の記載欄およびチェックボックス９１１のみに対して印刷されていても良い。
【００６５】
一方、手書き帳票９２０は、例えば、顧客が独自に書式を指定した帳票である。したがって、指定された書式を用いて図１に示したシステムで手書き帳票９２０を出力するとは限らず、顧客等により予め用意された手書き帳票９２０を使用する場合もある。そして、このような場合、手書き帳票９２０の電子データは文書サーバ２０に管理されておらず、また、手書き帳票９２０には符号画像が印刷されていない、という場合があり得る。
【００６６】
＜印刷帳票の出力処理＞
ここで、印刷帳票９１０の出力処理について説明する。
図１０は、印刷帳票９１０の出力処理における文書サーバ２０および識別情報サーバ３０の動作を示したシーケンス図である。
文書サーバ２０では、まず、受信部２１が、電子文書（印刷帳票９１０の電子データ）の印刷要求を端末装置１０から受信する（ステップ２１１）。このうち、電子文書の印刷要求には、文書ＩＤと印刷設定とが含まれる。ここで、文書ＩＤとしては、例えば、ＵＲＬ（Uniform Resource Locator）を用いると良いが、電子文書を一意に特定することができるものであれば他の情報を用いても良い。また、印刷設定は、ページ、部数、用紙サイズ、拡大縮小率、複数ページを１枚の媒体にまとめて出力する機能、余白等の設定を含む。
【００６７】
受信部２１は、これらの情報を受信すると、文書記憶部２８ａおよび識別情報取得部２２に受け渡す。すると、文書記憶部２８ａは、電子文書、印刷設定、文書ＩＤを関連付けて記憶する。また、識別情報取得部２２は、受け渡された情報のうち、文書ＩＤと印刷設定とを送信部２９に渡し、送信部２９が、これらの情報を識別情報サーバ３０に送信することで、識別情報の発行を要求する（ステップ２１２）。
【００６８】
これにより、識別情報サーバ３０では、受信部３１が、文書ＩＤと印刷設定とを受信する（ステップ３１１）。そして、文書ＩＤと印刷設定は媒体管理部３２に渡され、媒体管理部３２が、媒体管理情報記憶部３３から未使用の識別情報を取り出す（ステップ３１２）。ここで、取り出す識別情報の数は、印刷設定に応じて決められる。つまり、基本的には、印刷するページ数に印刷部数を乗じて得られる数の識別情報が取り出される。ただし、設定情報中に、複数ページを１枚の媒体にまとめて出力する機能の指定等がある場合は、それも考慮される。例えば、１０ページの電子文書を２ページずつ１枚の媒体にまとめて５部印刷する場合は、２５（＝１０÷２×５）個の識別情報が取り出される。
【００６９】
次に、媒体管理部３２は、識別情報と文書ＩＤと印刷設定とを関連付けて媒体管理情報記憶部３３に記憶する（ステップ３１３）。そして、ステップ３１２で発行された識別情報は送信部３９に渡され、送信部３９が、文書サーバ２０に対し、識別情報を送信する（ステップ３１４）。
【００７０】
これにより、文書サーバ２０では、受信部２１が識別情報を受信する（ステップ２１３）。そして、受信部２１は、受信した識別情報を識別情報取得部２２に受け渡す。すると、文書サーバ２０は、識別情報と位置情報とを表す符号画像を生成する（ステップ２１４）。この符号画像の生成は、具体的には、次のような処理により行われる。
【００７１】
まず、識別情報取得部２２が、ステップ２１３で取得した識別情報を識別符号生成部２５ａに渡し、識別符号生成部２５ａが、識別情報を符号化することで識別符号を生成する。また、位置符号生成部２５ｂは、受信部２１から印刷設定を受け取り、印刷設定に応じた範囲の位置情報を符号化することで位置符号を生成する。その後、符号配置部２５ｃが、識別符号と位置符号とを配置し、これを符号画像生成部２５ｅが、パターン画像記憶部２５ｄに記憶されたパターン画像を用いて画像化することで符号画像を生成する。
【００７２】
また、文書サーバ２０では、文書画像生成部２６が、電子文書の文書画像を生成する（ステップ２１５）。その際、文書画像生成部２６は、ステップ２１１で識別情報取得部２２が取得した文書ＩＤを受け取り、これに基づいて対象となる電子文書を図示しない記憶手段から読み出す。また、ステップ２１１で識別情報取得部２２が取得した印刷設定を受け取り、これに基づいて文書画像を生成する。そして、画像合成部２７は、ステップ２１４で生成された符号画像と、ステップ２１５で生成された文書画像とを合成し、合成画像を生成する（ステップ２１６）。
【００７３】
この後、合成画像は送信部２９に渡され、送信部２９が、合成画像の印刷命令を画像形成装置４０に送信する（ステップ２１７）。ここで、合成画像の印刷命令は、例えば、文書画像の印刷命令の列からなるＰＤＬ（Page Description Language）ファイルに対して、符号画像として印刷する内容をＰＤＬコマンドとして設定したＰＤＬの形式で送信される。
【００７４】
これにより、画像形成装置４０は、文書画像を例えばＣ（シアン）、Ｍ（マゼンタ）、Ｙ（イエロー）のトナーを用いて媒体に印刷する。また、符号画像を例えばＫ（カーボンを含む黒）のトナーまたは特殊トナーを用いて媒体に印刷する。
【００７５】
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。ここで、「可視」および「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００７６】
なお、本実施の形態において、識別情報サーバ３０は、ステップ２１７で文書サーバ２０が印刷命令を送信した画像形成装置４０のアドレスも、媒体管理情報に含めて管理しておく。この画像形成装置４０のアドレスは、文書サーバ２０がステップ２１１で受信する印刷要求に含めるようにしても良いし、文書サーバ２０または識別情報サーバ３０が複数の画像形成装置４０の中から何らかの基準によって決定するようにしても良い。
【００７７】
＜転記手順＞
上記のように、印刷帳票９１０の電子データは文書サーバ２０により管理されているが、手書き帳票９２０の電子データは文書サーバ２０に管理されていないことがあり得る。しかし、印刷帳票９１０の記載と手書き帳票９２０の記載を照合する作業を支援する用途等のために、印刷帳票９１０の記載と手書き帳票９２０の記載とを対応付けることが必要な場合がある。そこで、本実施形態では、手書き帳票９２０に記載された手書き文字の筆記情報を取得して、その記載を、対応する印刷帳票９１０の記載に関連付けることとする。以下、印刷帳票９１０の記載を手書き帳票９２０に転記する場合の操作を例として、手書き帳票９２０の記載を印刷帳票９１０に対応付けるための手順について説明する。
【００７８】
図１１は、印刷帳票９１０の記載を手書き帳票９２０に転記する場合の操作手順を示すフローチャートである。
図１１に示すように、印刷帳票９１０の記載を手書き帳票９２０に転記する場合、ユーザは、まず印刷帳票９１０において、転記しようとする項目（以下、対象項目）の記載欄にデジタルペン６０で触れる（ステップ１１０１）。これにより、デジタルペン６０が記載欄における符号画像を読み取って、文書ＩＤと位置情報を取得する。そして、これらの情報が、通信装置７０を介して、管理手段の一例としての端末装置５０へ送られる（ステップ１１０２）。
【００７９】
端末装置５０は、デジタルペン６０から取得した文書ＩＤと位置情報を文書サーバ２０へ送信する。文書サーバ２０は、受信した文書ＩＤと位置情報と、文書記憶部２８ａから読み出した文書ＩＤに対応する文書データおよび印刷設定とに基づいて、受信した文書ＩＤに対応する文書の指定された位置情報に記載されている情報に該当する項目（すなわち、対象項目）の識別情報（項目名等）と値（記載内容）を求めて、端末装置５０へ送信する。端末装置５０は、文書サーバ２０から対象項目の識別情報および値を取得する（ステップ１１０３）。
【００８０】
次に、ユーザは、デジタルペン６０で対象項目の記載内容を手書き帳票９２０の対応する項目の記載欄に書き写す（ステップ１１０４）。このとき、デジタルペン６０の軌道検出部９０により、手書き帳票９２０にデジタルペン６０で手書きした際の筆跡の軌道情報が得られる。そして、この軌道情報が、通信装置７０を介して端末装置５０へ送られる（ステップ１１０５）。
【００８１】
ユーザは、１項目分の記載内容を書き写し終えた後、対象項目に設けられたチェックボックス９１１をデジタルペン６０でチェックする（ステップ１１０６）。これにより、デジタルペン６０は、文書ＩＤとチェックボックス９１１の位置情報を取得し、端末装置５０へ送信する（ステップ１１０７）。
【００８２】
端末装置５０は、デジタルペン６０から取得した文書ＩＤと位置情報を文書サーバ２０へ送信し、文書サーバ２０からの応答により、チェックボックス９１１がチェックされたことを認識する（ステップ１１０８）。そして、端末装置５０は、ステップ１１０５で取得した軌道情報を、対象項目に対応する手書き帳票９２０の記載内容として、この対象項目に関連付ける（ステップ１１０９）。言い換えれば、このステップ１１０５で取得した軌道情報は、端末装置５０が、ステップ１１０３で対象項目を識別した後、ステップ１１０８でチェックボックス９１１がチェックされたと認識するまでに取得した軌道情報である。印刷帳票９１０の記載と手書き帳票９２０の記載との関連づけは、テーブルに登録する等、既存の種々の手段を用いて行えば良い。
【００８３】
この後、端末装置５０は、ステップ１１０３で取得した印刷帳票９１０の対象項目の記載内容と、ステップ１１０９で対象項目に関連付けられた手書き帳票９２０の記載内容とを表示装置に表示させる（ステップ１１１０）。表示の態様は特に限定されないが、これらの記載を項目ごとに並べて表示させても良い。
【００８４】
なお、上記の動作例では、印刷帳票９１０のチェックボックス９１１をチェックする操作により、手書き帳票９２０の該当項目への転記が完了したことを端末装置５０が認識することとした。これに対し、ユーザが手書き帳票９２０の該当項目への転記を完了した後、印刷帳票９１０の適当な場所（例えば、次に転記を行おうとする項目の記載欄）に触れたことによって、その項目の転記が完了したことを認識するようにしても良い。
【００８５】
＜他のシステム構成例１＞
図１２は、本実施形態のコンピュータシステムにおける他の構成例を示す図である。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続され、さらに第２取得手段の他の一例としての撮像装置１００が接続されている。
【００８６】
図１２に示すシステムにおいて、端末装置１０、文書サーバ２０、識別情報サーバ３０、画像形成装置４０、端末装置５０は、図１に示した各装置と同様である。また、これらの装置は、図１の各装置と同様にネットワーク８０に接続されている。したがって、図１のシステム構成における各装置と同一の符号を付して説明を省略する。
【００８７】
デジタルペン６０および通信装置７０は、図１に示したデジタルペン６０および通信装置７０と同様の機能構成を持つ装置であっても良い。また、デジタルペン６０は、符号画像に基づいて筆記情報を取得できれば良く、加速度を用いて筆記の軌跡情報を取得するための軌道検出部９０を有しない構成であっても良い。
【００８８】
撮像装置１００は、例えばフェイスアップスキャナやカメラで実現され、手書き帳票９２０の画像を撮影する。撮影された画像は、端末装置５０に送信される。端末装置５０は、撮像装置１００から取得した画像を解析し、手書き帳票９２０に手書きされた文字の筆跡情報を抽出する。
【００８９】
具体的な手法としては、例えば、手書き帳票９２０に文字が書かれる前の画像と、文字が書かれた後の画像とを、撮像装置１００により撮影する。そして、端末装置５０において、これらの画像の差分を取り、手書き文字の筆跡情報を取得する。このとき、正確な筆跡情報を得るため、位置補正やひずみ補正等の画像処理を行う必要がある。画像の差分の計算や各種の補正等の画像処理は、既存の種々の手法（アルゴリズム）を用いて行って良い。
【００９０】
次に、図１２に示すシステムを用いる場合の印刷帳票９１０から手書き帳票９２０への転記操作の手順について説明する。
図１３は、印刷帳票９１０の記載を手書き帳票９２０に転記する場合の操作手順を示すフローチャートである。
図１３に示すように、印刷帳票９１０の記載を手書き帳票９２０に転記する場合、ユーザは、まず印刷帳票９１０において、転記しようとする項目（以下、対象項目）の記載欄にデジタルペン６０で触れる（ステップ１３０１）。これにより、デジタルペン６０が記載欄における符号画像を読み取って、文書ＩＤと位置情報を取得する。そして、これらの情報が、通信装置７０を介して端末装置５０へ送られる（ステップ１３０２）。
【００９１】
端末装置５０は、デジタルペン６０からこれらの情報を取得すると、そのタイミングで撮像装置１００に手書き帳票９２０の画像を撮影させ、撮影された画像を撮像装置１００から取得する（ステップ１３０３）。また、端末装置５０は、デジタルペン６０から取得した文書ＩＤと位置情報を文書サーバ２０へ送信する。そして、文書サーバ２０から、これらの情報に該当する項目（すなわち、対象項目）の識別情報（項目名等）と値（記載内容）を取得する（ステップ１３０４）。
【００９２】
次に、ユーザは、対象項目の記載内容を手書き帳票９２０の対応する項目の記載欄に書き写す（ステップ１３０５）。このときに用いる筆記具は、デジタルペン６０であっても良いし、他の筆記具であっても良い。ユーザは、１項目分の記載内容を書き写し終えた後、対象項目に設けられたチェックボックス９１１をデジタルペン６０でチェックする（ステップ１３０６）。これにより、デジタルペン６０は、文書ＩＤとチェックボックス９１１の位置情報を取得し、端末装置５０へ送信する（ステップ１３０７）。
【００９３】
端末装置５０は、デジタルペン６０から取得した文書ＩＤと位置情報を文書サーバ２０へ送信し、文書サーバ２０からの応答により、チェックボックス９１１がチェックされたことを認識する（ステップ１３０８）。そして、このタイミングで撮像装置１００に手書き帳票９２０の画像を撮影させ、撮影された画像を撮像装置１００から取得する（ステップ１３０９）。
【００９４】
次に、端末装置５０は、ステップ１３０３で取得した画像とステップ１３０９で取得した画像との差分を計算することによって、手書き帳票９２０に手書きされた文字の筆跡情報を取得する（ステップ１３１０）。そして、得られた筆跡情報を、対象項目に対応する手書き帳票９２０の記載内容として、この対象項目に関連付ける（ステップ１３１１）。この後、端末装置５０は、ステップ１１０３で取得した印刷帳票９１０の対象項目の記載内容と、ステップ１１０９で対象項目に関連付けられた手書き帳票９２０の記載内容とを表示装置に表示させる（ステップ１３１２）。
【００９５】
なお、上記の動作例では、手書き帳票９２０への転記動作の前後で画像を取得し、これらの差分を検出することで、手書き文字の筆跡情報を抽出した。これに対し、手書き帳票９２０に文字を手書きする動作を動画で撮影し、得られた動画を解析して筆跡情報を抽出するようにしても良い。
【００９６】
＜他のシステム構成例２＞
図１４は、本実施形態のコンピュータシステムにおけるさらに他の構成例を示す図である。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続され、さらに第２取得手段のさらに他の一例としてのペンタブレット１１０が接続されている。
【００９７】
図１４に示すシステムにおいて、端末装置１０、文書サーバ２０、識別情報サーバ３０、画像形成装置４０、端末装置５０は、図１に示した各装置と同様である。また、これらの装置は、図１の各装置と同様にネットワーク８０に接続されている。したがって、図１のシステム構成における各装置と同一の符号を付して説明を省略する。
【００９８】
デジタルペン６０および通信装置７０は、図１に示したデジタルペン６０および通信装置７０と同様の機能構成を持つ装置であっても良い。また、デジタルペン６０は、符号画像に基づいて筆記情報を取得できれば良く、加速度を用いて筆記の軌跡情報を取得するための軌道検出部９０を有しない構成であっても良い。
【００９９】
ペンタブレット１１０は、デジタルペン６０で筆記された場合の筆跡情報を取得する。ペンタブレット１１０が筆跡情報を取得する方式は、電磁誘導式や感圧式等、既存の種々の方式を用いて良い。ただし、ペンタブレット１１０が筆跡情報を取得する方式によっては、デジタルペン６０が、その方式に対応したものである必要がある。ペンタブレット１１０の上に手書き帳票９２０を置き、デジタルペン６０で転記対象の文字を記入することによって、手書き帳票９２０に手書きされた文字の筆跡情報が抽出される。ペンタブレット１１０によって取得された筆跡情報を印刷帳票９１０の該当項目に関連づけるための操作手順は、図１１に示したフローチャートの場合と同様である。
【０１００】
＜各装置のハードウェア構成＞
図１、図１２、図１４に示した各システムにおいて、端末装置１０、文書サーバ２０、識別情報サーバ３０および端末装置５０は、例えばコンピュータにより実現される。そこで、これらの装置を実現するコンピュータのハードウェア構成例について説明する。なお、画像形成装置４０のハードウェア構成例については図５を参照して、デジタルペン６０のハードウェア構成例については図６を参照して、各々すでに説明した。
【０１０１】
図１５は、本実施形態のシステムの各装置を実現するコンピュータのハードウェア構成例を示した図である。
図示するように、コンピュータ２００は、演算手段であるＣＰＵ（Central Processing Unit）２０１と、記憶手段であるメインメモリ２０２および磁気ディスク装置（ＨＤＤ：Hard Disk Drive）２０３とを備える。ここで、ＣＰＵ２０１は、ＯＳ（Operating System）やアプリケーション等の各種ソフトウェアを実行し、上述した各機能を実現する。また、メインメモリ２０２は、各種ソフトウェアやその実行に用いるデータ等を記憶する記憶領域であり、磁気ディスク装置２０３は、各種ソフトウェアに対する入力データや各種ソフトウェアからの出力データ等を記憶する記憶領域である。
さらに、コンピュータ２００は、外部との通信を行うための通信Ｉ／Ｆ２０４と、ビデオメモリやディスプレイ等からなる表示機構２０５と、キーボードやマウス等の入力デバイス２０６とを備える。
【０１０２】
なお、本実施の形態を実現するプログラムは、通信手段により提供することはもちろん、ＣＤ−ＲＯＭ等の記録媒体に格納して提供することも可能である。また、図１および図１２に示した各装置は、各々別個のコンピュータ２００によって実現されるとは限らない。いくつかの装置の機能を１台のコンピュータにより実現する構成としても構わない。
【符号の説明】
【０１０３】
１０，５０…端末装置、２０…文書サーバ、３０…識別情報サーバ、４０…画像形成装置、６０…デジタルペン、８０…ネットワーク
【図１】
2010231662.tif 000003
【図２】
2010231662.tif 000004
【図３】
2010231662.tif 000005
【図４】
2010231662.tif 000006
【図５】
2010231662.tif 000007
【図６】
2010231662.tif 000008
【図７】
2010231662.tif 000009
【図８】
2010231662.tif 000010
【図９】
2010231662.tif 000011
【図１０】
2010231662.tif 000012
【図１１】
2010231662.tif 000013
【図１２】
2010231662.tif 000014
【図１３】
2010231662.tif 000015
【図１４】
2010231662.tif 000016
【図１５】
2010231662.tif 000017